(57)【要約】【課題】自動調理の終了報知音を使用者に確実に伝達させ、使い勝手を向上させること。【解決手段】使用者が前記制御手段を操作し自動調理を選択した場合、その調理終了時に前記音声合成手段より音声報知した後、使用者が前記制御手段を操作せず放置した場合、前記計時手段の計時信号によって、調理終了時からある期間周期的に前記音声合成手段より報知することにより、調理終了時の終了報知を確実に使用者に伝達し、使い勝手を向上させることができる。【選択図】図１
2007324017.tif 000002
【特許請求の範囲】
【請求項１】
被加熱物を加熱する加熱手段と、前記加熱手段への通電を制御する制御手段と、通電の時間を計時する計時手段と、前記制御手段からの信号により音声を出力する音声合成手段とを備え、使用者が前記制御手段を操作し自動調理を選択した場合、その調理終了時に前記音声合成手段より音声報知した後、使用者が前記制御手段を操作せず放置した場合、前記計時手段の計時信号によって、調理終了時からある期間周期的に前記音声合成手段より報知する構成とした加熱調理器。
【請求項２】
音声合成手段により合成される音声信号の音量を制御手段からの信号に基づき調節する音量調節手段を設け、前記音量調節手段は、自動調理終了後の報知音を１回目よりも２回目以降に大きくする構成とした請求項１記載の加熱調理器。
【請求項３】
調理終了を報知する音声をブザー等に置き換え、音声報知の代わりにブザー報知とした請求項１ないしは２記載の加熱調理器。
【発明の詳細な説明】
【技術分野】
【０００１】
本発明は、家庭用や業務用のキッチン等に用いられる加熱調理器に関するものである。
【背景技術】
【０００２】
従来、この種の加熱調理器として誘導加熱調理器を用いて説明する。図４は従来の加熱調理器としての誘導加熱調理器の構成図である。図４において、トッププレート５１の上に負荷となる鍋５２が載置される。加熱コイル５３はトッププレート５１の下部に配置され、制御回路５４により発生される高周波磁界により、鍋５２を誘導加熱する。温度検出器５５はトッププレート５１の下部温度を検出し入力制御手段５６に出力し、操作部５７にて使用者は調理の設定を入力し、その結果は入力制御手段５６に出力され、制御回路５４は加熱コイル５３を制御すると共に入力判定手段５８から出力制御手段５９を介した信号入力により鍋５２が誘導加熱に適正であるかどうか、あるいは、鍋５２の有無を判定して入力制御手段５６に鍋５２の状態信号を出力し、入力制御手段５６は温度検出器５５の温度と操作部５７の設定と制御回路５４の鍋５２の状態とに応じた信号を入力判定手段５８に出力し、入力判定手段５８は入力制御手段５６の出力を判定して出力制御手段５９と音声合成手段６０と表示部６１に出力し、音声合成手段６０は入力判定手段５８の判定信号の出力により音声データを出力し、出力制御手段５９は入力判定手段５８の出力により制御回路５４に判定信号を出力し、制御回路５４は判定信号に基づいて加熱コイル５３を制御し、音声合成ＬＳＩ６２は音声合成手段６０から音声データを入力して音声信号を出力し、発振子６３は音声合成ＬＳＩ６２のクロックを作り、アンプ（ＡＭＰ）部６４は音声合成ＬＳＩ６２から出力される音声信号を増幅し、スピーカ６５はアンプ部６４からの信号を音声に変換して出力し、表示部６１は入力判定手段５８の出力によりＬＥＤを点灯させて表示する構成であった。操作部５７で操作を行った、鍋５２が適正でない、温度検出器５５が危険温度を検知した、などの状態を入力判定手段５８の出力信号に基づいて音声合成手段６０より音声データを出力すると共に、入力判定手段５８の出力信号に基づいて表示部６１のＬＥＤを点灯させるといった方法を取っていた（例えば、特許文献１参照）。
【特許文献１】実開平１−１３０２９６号公報
【発明の開示】
【発明が解決しようとする課題】
【０００３】
しかしながら、前記従来の構成では、特に自動調理時に使用者がその場を離れる機会が増えることが想定される。そのような場合において、調理終了報知音が１回限りでは、使用者になかなか伝わりにくいという課題を有していた。
【０００４】
本発明は、前記従来の課題を解決するもので、自動調理終了時に音量調節手段から出力される調理終了報知音を、１回だけではなくある期間周期的に報知させることを可能とすることで、調理終了後の終了報知を確実に認識できるよう使い勝手を向上させた加熱調理器を提供することを目的とする。
【課題を解決するための手段】
【０００５】
前記従来の課題を解決するために、本発明の加熱調理器は、特に自動調理が開始された場合の調理終了時における終了報知音を１回だけでなくある期間周期的に報知させるものである。
【０００６】
これにより、使用者が調理中に機器からの離れた場合においても、自動調理終了報知の聞き逃しを防ぐことができる。
【発明の効果】
【０００７】
本発明の加熱調理器は、機器からの特に自動調理終了時の終了報知を確実に使用者に伝達し、使い勝手を向上させることができる。
【発明を実施するための最良の形態】
【０００８】
第１の発明は、被加熱物を加熱する加熱手段と、前記加熱手段への通電を制御する制御手段と、通電の時間を計時する計時手段と、前記制御手段からの信号により音声を出力する音声合成手段とを備え、使用者が前記制御手段を操作し自動調理を選択した場合、その調理終了時に前記音声合成手段より音声報知した後、使用者が前記制御手段を操作せず放置した場合、前記計時手段の計時信号によって、調理終了時からある期間周期的に前記音声合成手段より報知することで、調理終了時の終了報知を確実に使用者に伝達し、使い勝手を向上させることができる。
【０００９】
第２の発明は、音声合成手段により合成される音声信号の音量を制御手段からの信号に基づき調節する音量調節手段を設け、前記音量調節手段は、自動調理終了後の報知音を１回目よりも２回目以降に大きくすることで、調理終了時の終了報知を確実に使用者に伝達し、使い勝手を向上させることができる。
【００１０】
第３の発明は、調理終了を報知する音声をブザー等に置き換え、音声報知の代わりにブザー報知とすることで調理終了時の終了報知を確実に使用者に伝達し、使い勝手を向上させることができる。
【００１１】
以下本発明の実施の形態について、図面を参照しながら説明する。なお、この実施の形態によって本発明が限定されるものではない。
【００１２】
（実施の形態１）
図１は、本発明の第１の実施の形態における加熱調理器の全体構成図である。
【００１３】
図１において、トッププレート１の上に鍋（被加熱物）２が載置される。加熱コイル（加熱手段）３はトッププレート１の下部に配置され、高周波磁界を発生することにより、鍋（被加熱物）２を誘導加熱する。操作部４により使用者は多段階の火力設定を入力し、その結果は、制御手段５に入力され、制御手段５は加熱コイル（加熱手段）３の出力を多段階に制御する。音声合成手段６は制御手段５からの命令に応じた音声データを出力し、計時手段７は制御手段５における加熱動作等に関する時間を測定し、音声合成ＬＳＩ８は音声合成手段６から出力された音声データを入力して音声信号を出力する。アンプ（ＡＭＰ）部９は音声信号を増幅し、スピーカ１０はアンプ部９からの信号を変換し音声を出力する構成である。そしてこの場合における制御手段５、音声合成手段６、計時手段７はマイクロコンピュータ１１で構成される。
【００１４】
以下のように構成された加熱調理器について、以下その動作、作用を説明する。
【００１５】
まず、操作部４において自動調理メニューが選択された場合、例えば自動湯沸かしが選ばれたとすると、その設定状態に応じた信号を制御手段５が受け、加熱コイル（加熱手段）３に高周波磁界を発生させ、鍋（被加熱物）２を加熱する。自動湯沸かしが完了すると、音声合成手段６から音声データを音声合成ＬＳＩ８へ出力し、アンプ部９で増幅させ、スピーカ１０から調理終了音が発せられる。その時点より計時手段７が時間の測定を行う。その後、使用者が操作部４を操作せず、計時手段７においてある一定の期間経過すなわち、放置された場合、音声合成手段６に信号を出力し、再度周期的に調理終了音を報知する。
【００１６】
以上のように、本実施の形態においては特に自動調理終了時における調理終了報知をある一定の期間周期的に行うことで、調理終了時の終了報知を確実に使用者に伝達し、使い勝手を向上させることができる。
【００１７】
また、本実施の形態に示すように、炎がでないことから安全性を特徴とする誘導加熱調理器に音声報知装置を使用することにより、家庭内で安全性の高い、かつ使いやすい誘導加熱調理器を提供できるものである。
【００１８】
また、本実施の形態の加熱コイル（加熱手段）３にかえてラジェントヒータやガス熱源などの加熱部を用いた場合も同様の効果がある。
【００１９】
（実施の形態２）
図２は、本発明の第２の実施の形態の加熱調理器の全体構成図である。第１の実施の形態との違いは、音量調節手段１２を設けた点である。音声合成手段６により合成される音声信号の音量を制御手段４からの信号、あるいは計時手段７からの信号に基づき音量を調節する音量調節手段１２を設けることにより、自動調理終了時の終了報知音を１回目よりも２回目以降に大きくする。
【００２０】
以上のように、本実施の形態においては特に自動調理終了時における調理終了報知を１回目よりも２回目以降に大きくすることで、調理終了時の終了報知を確実に使用者に伝達し、使い勝手を向上させることができる。
【００２１】
（実施の形態３）
図３は、本発明の第３の実施の形態の加熱調理器の全体構成図である。第１の実施の形態との違いは、スピーカ１０の代わりにブザー１３を設けた点である。
【００２２】
以上のように、本実施の形態においては特に自動調理終了時における調理終了報知をブザー報知としたことで調理終了時の終了報知を確実に使用者に伝達し、使い勝手を向上させることができる。
【産業上の利用可能性】
【００２３】
以上のように、本発明にかかる加熱調理器は機器の自動調理終了時の終了報知音を、調理終了時からある期間周期的に報知することで、調理終了時の終了報知を確実に使用者に伝達し、使い勝手を向上させることができる。
【図面の簡単な説明】
【００２４】
【図１】本発明の第１の実施の形態における加熱調理器の全体構成図
【図２】本発明の第２の実施の形態における加熱調理器の全体構成図
【図３】本発明の第３の実施の形態における加熱調理器の全体構成図
【図４】従来の加熱調理器としての誘導加熱調理器の構成図
【符号の説明】
【００２５】
２  鍋（被加熱物）
３  加熱コイル（加熱手段）
４  操作部
５  制御手段
６  音声合成手段
７  計時手段
１２  音量調節手段
【図１】
2007324017.tif 000003
【図２】
2007324017.tif 000004
【図３】
2007324017.tif 000005
【図４】
2007324017.tif 000006